(57)【要約】【課題】埃や油汚れなどを指紋から取り除き、指紋映像データの採取を正確に行う連続式指紋映像採取装置を提供する。【解決手段】連続式指紋映像採取装置は、パーソナル電子製品１０外側に指当部１とこの指当部１内に連続式指紋センサーを設置し、連続式指紋センサーの一端には開始凸部１１を設置し、この開始凸部１１及び連続式指紋センサーの間には複数個のワイパー横条１２を設置し、また連続式指紋センサーの別一端には指当上昇部１３を成形することにより、埃や油汚れなどを指紋から取り除き、指紋映像データの採取を正確に行うことができる。【選択図】図１
0003119567.tif 000002
【実用新案登録請求の範囲】
【請求項１】
電子製品外側に細長凹形状の指当部を設置し、その指当部内に連続式指紋センサーを設置した連続式指紋映像採取装置において、
連続式指紋センサーの一端の指当部表面に開始凸部を成形し、その開始凸部と連続式指紋センサーの間の指当部表面に突出した複数個のワイパー横条が設置され、且つ連続式指紋センサーの別端には円弧形状の指当上昇部が成形され、指先を滑り移動させて指紋データを採取することを特徴とする連続式指紋映像採取装置。
【請求項２】
前記指当上昇部は、先端に案内槽が設置され、その案内槽は突起状で指当上昇部の後端を囲み、両側は凹み形状を形成することを特徴とする請求項１記載の連続式指紋映像採取装置。
【請求項３】
前記開始凸部及びワイパー横条は、電子製品の筐体と一体構成しているか、もしくは電子製品の指当部表面と結合することを特徴とする請求項１記載の連続式指紋映像採取装置。
【請求項４】
前記ワイパー横条は、軟質のゴムを採用し、指当部表面に結合することを特徴とする請求項１記載の連続式指紋映像採取装置。
【請求項５】
前記電子製品は、携帯用ＤＶＤ，ＶＣＤ，ＭＰ３プレイヤー、録音ペン、個人用携帯情報端末ＰＤＡ、ノート型パソコン、携帯電話もしくはＰＣ周辺製品とすることを特徴とする請求項１記載の連続式指紋映像採取装置。
【考案の詳細な説明】
【技術分野】
【０００１】
本考案は、連続式指紋映像採取装置に関するもので、埃や油汚れなどを指紋から取り除き、指紋映像データの採取を正確に行うものである。
【背景技術】
【０００２】
公知の個人電子データ保護の方法は、通常パスワード保護方式を使用している。しかしながら、このパスワードで個人電子データを保護する方法は、使用者がパスワードを忘れてしまうことがあるのと、人にパスワードを盗まれてしまう危険性がある。そのため、個人の生物的データ、例として指紋、声紋、筆跡、眼の虹彩等を使って識別する方法が、完全、且つ有効なデータ保護方式に徐々になりつつある。この方法の長所は、身体の一部の特徴を採取するため、随時採取が可能であることと、使用者は特別に覚えておく必要がなく、更には人に盗まれる心配もない。特に指紋による生物的特徴を使用した保護方法は、確実で、重複性がなく、応用上大変便利である。そのため、個人が携帯する電子製品に指紋識別機能を設置すれば、メディア保護の方面から大変有用である。
【０００３】
しかし、現在のパーソナル電子製品に設置されている指紋識別装置は、通常電子製品の表面の選定箇所に採取型指紋センサーが設置されているものだが、体積とコストの関係から、小面積の横長状指紋センサーとして発展している。この小面積採取型指紋センサーは、使用者が第一関節の指の指紋を正確にセンサーに当てて初めて指紋データの採取ができるようになっている。もしも指紋の当て方が不正確であった場合、正確に指紋データを採取できないため、使用者であるとの認証を得られず、使用上大変不便である。特に故意にではなくても指紋に付着した埃や油汚れ、例として手の汗に空気や物に触った時の埃が付着し、指紋の特徴がぼやけてしまう。このように、小面積採取型指紋センサーの指紋データには正確性と完全性を必要としている。
【特許文献１】実用新案登録第３０３２６７９号
【考案の開示】
【考案が解決しようとする課題】
【０００４】
解決しようとする問題点は、埃や油汚れなどが指紋に付着していることにより、指紋映像データの採取を正確に行えない点である。
【課題を解決するための手段】
【０００５】
上記の課題を解決するために、本考案は、下記の特徴を有する連続式指紋映像採取装置を提供する。
１．請求項１に記載の連続式指紋映像採取装置は、電子製品外側に細長凹形状の指当部を設置し、その指当部内に連続式指紋センサーを設置した連続式指紋映像採取装置において、連続式指紋センサーの一端の指当部表面に開始凸部を成形し、その開始凸部と連続式指紋センサーの間の指当部表面に突出した複数個のワイパー横条が設置され、且つ連続式指紋センサーの別端には円弧形状の指当上昇部が成形され、指先を滑り移動させて指紋データを採取することを特徴とする。
２．請求項２に記載の連続式指紋映像採取装置は、請求項１の場合において、
前記指当上昇部は、先端に案内槽が設置され、その案内槽は突起状で指当上昇部の後端を囲み、両側は凹み形状を形成することを特徴とする。
３．請求項３に記載の連続式指紋映像採取装置は、請求項１の場合において、
前記開始凸部及びワイパー横条は、電子製品の筐体と一体構成しているか、もしくは電子製品の指当部表面と結合することを特徴とする。
４．請求項４に記載の連続式指紋映像採取装置は、請求項１の場合において、
前記ワイパー横条は、軟質のゴムを採用し、指当部表面に結合することを特徴とする。
５．請求項５に記載の連続式指紋映像採取装置は、請求項１の場合において、
前記電子製品は、携帯用ＤＶＤ，ＶＣＤ，ＭＰ３プレイヤー、録音ペン、個人用携帯情報端末ＰＤＡ、ノート型パソコン、携帯電話もしくはＰＣ周辺製品とすることを特徴とする。
【考案の効果】
【０００６】
本考案の連続式指紋映像採取装置は、埃や油汚れなどを指紋から取り除き、指紋映像データの採取を正確に行い、パーソナル電子製品に応用できる利点がある。
【考案を実施するための最良の形態】
【０００７】
本考案は、パーソナル電子製品の連続式指紋映像採取装置で、電子製品１０外側に指当部１を設置し、その指当部１内に連続式指紋センサー２を設置して構成する。この連続式指紋センサー２は公知の連続スキャナーのチップ(ＩＣ)指紋センサーである。そのうち、
【０００８】
図１及び図２に示すとおり、指当部１は、電子製品１０の外枠と一体で構成された細長凹形状である。また連続式指紋センサー２は指当部１中段箇所に設置する。連続式指紋センサー２一端の指当部１表面には開始凸部１１が設置されて指先押圧接触開始点とする。この開始凸部１１及び連続式指紋センサー間の指当部１表面には突出した複数個のワイパー横条１２が設置され、指紋の汚れもしくは油垢を取り除き、汚れを除いた指紋を連続式指紋センサー２が採取できるようにする。更に連続式指紋センサー２別端には円弧形の指当上昇部１３が設置され、関節表面の指紋を自然に伸ばし、使用者の指紋が平らに置かれるようにして連続式指紋センサー２が指紋を採取できるようにしている。また指当上昇部１３の周囲には突起状の案内槽１４が設置され、指の滑り移動の終止点とする。これらによって、使用者は指先を正確に開始凸部１１に置いて滑り移動させる。その際、ワイパー横条１２で指紋に付着した埃や油等の汚れを取り、連続式指紋センサー２で指紋映像データを完全に採取する。
【０００９】
開始凸部１１及びワイパー横条は、電子製品１０の筐体と一体構成しているか、もしくは電子製品１０の指当部一表面と結合している。特にワイパー横条１２は軟性ゴムを採用し、指当部１表面と結合することによって、埃や油汚れを取る効果が高まる。また、案内槽１４は、連続式指紋センサー２の後端の指当上昇部１３周囲と一体構成で、突起状で囲まれた指当上昇部１３後端及び両側の凹み構造で形成され、そのため指が自然に滑り移動して終了表示点へ進む。
【００１０】
本考案の応用実施動作は、図３に示すとおり、使用者が電子製品１０を始動するか、もしくは指紋データを入力して電子製品１０内の保護データにアクセスする時、指先を指当部１の開始凸部１１上にのせ、指当部１の案内とおりに指関節を自然に移動させる。その際、ワイパー横条１２(図４参照)を通過させ、このワイパー横条１２によって指紋上に付着した埃、油汚れを取り除き、きれいになった指紋で連続式指紋センサー２を通過させると、そのセンサーが使用者の指紋映像データを採取する。指先が指当上昇部１３へ移動した時、指当上昇部１３によって、指先表面の指紋を自然に伸び、連続式指紋センサー２によって採取される（図５参照）。また指の関節が案内槽１４へ移動すると、自動的に停止する機能を具え、指紋が連続式指紋センサー２確実に採取されたことを示す。更に電子製品１０の始動、もしくは電子製品１０のデータ保護を行う。
【００１１】
本考案で説明する電子製品１０とは特定機能を具えた電子製品に限らず、図１及び図２に示すとおり、データを保存し、ＰＣと連接する携帯用ＤＶＤやＶＣＤ、ＭＰ３プレイヤー、録音ペン、個人用携帯情報端末ＰＤＡ、ノート型パソコン、携帯電話、パソコン周辺商品またはどのような電子製品にも指紋認証による始動開閉を実施し、例としてマウス、キーボード、外付けハードディスク等本考案と結合させ、電子製品１０の安全性を向上させる。
【図面の簡単な説明】
【００１２】
【図１】本考案の立体指示図である。
【図２】本考案の正面指示図である。
【図３】本考案の応用実施動作指示図一である。
【図４】本考案の応用実施動作指示図二である。
【図５】本考案の応用実施動作指示図三である。
【符号の説明】
【００１３】
１  指当部
１０  電子製品
１１  開始凸部
１２  ワイパー横条
１３  指当上昇部
１４  案内槽
２  連続式指紋映像採取装置
【図１】
0003119567.tif 000003
【図２】
0003119567.tif 000004
【図３】
0003119567.tif 000005
【図４】
0003119567.tif 000006
【図５】
0003119567.tif 000007